【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
対象において、会陰切開術を施行する際に使用するための会陰剪刀であって、前記剪刀は、
一対の枢動可能に接続された剪刀部材であって、
各剪刀部材は、前記枢動接続部から近位方向に延在するハンドルと、前記枢動接続部から遠位方向に延在する刃とを備える、剪刀部材と、
剪刀部材に取り付けられた誘導部材であって、前記誘導部材は、前記剪刀部材の前記刃の長手方向軸に対して鋭角に、前記剪刀部材から遠位方向に延在する誘導表面を有する、誘導部材と
を備える、剪刀。
【請求項２】
各剪刀部材の前記ハンドルおよび刃は、直線に沿って延在する、請求項１に記載の剪刀。
【請求項３】
各剪刀部材の前記ハンドルおよび刃は、相互に対してある角度で延在する、請求項１に記載の剪刀。
【請求項４】
各剪刀部材の前記刃は、直線状である、請求項１〜３のいずれか一項に記載の剪刀。
【請求項５】
前記誘導部材は、使用の際、前記剪刀を整合させるための外部縁表面を有する、請求項１〜４のいずれか一項に記載の剪刀。
【請求項６】
前記誘導部材は、細長い、請求項１〜５のいずれか一項に記載の剪刀。
【請求項７】
前記誘導部材は、２〜１０の縦横比を有する、請求項６に記載の剪刀。
【請求項８】
前記誘導部材は、剪刀部材の刃から延在する、請求項１〜７のいずれか一項に記載の剪刀。
【請求項９】
前記誘導部材は、前記刃の中点と前記枢動接続部との間の前記刃上の位置から延在する、請求項８に記載の剪刀。
【請求項１０】
前記誘導部材は、要求される長さの切開が前記剪刀からの単一の切り込みによって形成され得るように、前記剪刀部材上の位置から延在する、請求項１〜９のいずれか一項に記載の剪刀。
【請求項１１】
前記誘導部材は、前記刃の遠位端から少なくとも４０ｍｍの前記剪刀部材上の位置から延在する、請求項１０に記載の剪刀。
【請求項１２】
前記誘導部材は、少なくとも、前記刃の遠位端から前記剪刀の前記ハンドルの長手方向軸に垂直に延在する線まで延在する、請求項１〜１１のいずれか一項に記載の剪刀。
【請求項１３】
前記誘導部材は、前記刃の前記長手方向軸に対して、少なくとも３０°の角度で延在する、請求項１〜１２のいずれか一項に記載の剪刀。
【請求項１４】
前記誘導部材は、前記刃の前記長手方向軸に対して、４０〜７０°の角度で延在する、請求項１３に記載の剪刀。
【請求項１５】
前記誘導部材は、前記刃の前記長手方向軸に対して、６０°の角度で延在する、請求項１４に記載の剪刀。
【請求項１６】
前記誘導部材は、前記剪刀部材と実質的に同一の平面に延在する、請求項１〜１５のいずれか一項に記載の剪刀。
【請求項１７】
前記誘導部材は、前記剪刀部材の平面に対して、鋭角で延在する、請求項１〜１５のいずれか一項に記載の剪刀。
【請求項１８】
前記誘導部材は、前記剪刀部材の平面に対して、少なくとも２０°の角度で延在する、請求項１７に記載の剪刀。
【請求項１９】
前記誘導部材は、前記剪刀部材の平面に対して、３０〜７０°の角度で延在する、請求項１８に記載の剪刀。
【請求項２０】
前記誘導部材は、前記剪刀部材の平面に対して、４５°の角度で延在する、請求項１９に記載の剪刀。
【請求項２１】
前記剪刀部材は、前記枢動接続部において、ネジによって接続され、前記誘導部材は、前記ネジの頭部と反対側において、剪刀部材から延在する、請求項１〜２０のいずれか一項に記載の剪刀。
【手続補正２】
【補正対象書類名】明細書
【補正対象項目名】００３３
【補正方法】変更
【補正の内容】
【００３３】
誘導部材は、任意の好適な材料から形成されてもよい。最も好ましくは、誘導部材は、剪刀と同一の材料から形成される。外科用剪刀を形成するための好適な材料は、当技術分野において公知である。これは、典型的には、ステンレス鋼である。
本発明は、例えば、以下を提供する。
（項目１）
対象において、会陰切開術を施行する際に使用するための会陰剪刀であって、
一対の枢動可能に接続された剪刀部材であって、
各剪刀部材は、前記枢動接続部から近位方向に延在するハンドルと、前記枢動接続部から遠位方向に延在する刃とを備える、剪刀部材と、
剪刀部材に取り付けられた誘導部材であって、前記誘導部材は、前記剪刀部材の刃の長手方向軸に対して鋭角に、前記剪刀部材から遠位方向に延在する誘導表面を有する、誘導部材と、
を備える、剪刀。
（項目２）
各剪刀部材の前記ハンドルおよび刃は、直線に沿って延在する、項目１に記載の剪刀。
（項目３）
各剪刀部材の前記ハンドルおよび刃は、相互に対してある角度で延在する、項目１に記載の剪刀。
（項目４）
各剪刀部材の前記刃は、直線状である、項目１〜３のいずれか一項に記載の剪刀。
（項目５）
前記誘導部材は、使用の際、前記剪刀を整合させるための外部縁表面を有する、項目１〜４のいずれか一項に記載の剪刀。
（項目６）
前記誘導部材は、細長い、項目１〜５のいずれか一項に記載の剪刀。
（項目７）
前記誘導部材は、２〜１０の縦横比を有する、項目６に記載の剪刀。
（項目８）
前記誘導部材は、剪刀部材の刃から延在する、項目１〜７のいずれか一項に記載の剪刀。
（項目９）
前記誘導部材は、前記刃の中点と前記枢動接続部との間の刃上の位置から延在する、項目８に記載の剪刀。
（項目１０）
前記誘導部材は、要求される長さの切開が、前記剪刀からの単一の切り込みによって形成され得るように、前記剪刀部材上の位置から延在する、項目１〜９のいずれか一項に記載の剪刀。
（項目１１）
前記誘導部材は、前記刃の遠位端から少なくとも４０ｍｍの前記剪刀部材上の位置から延在する、項目１０に記載の剪刀。
（項目１２）
前記誘導部材は、少なくとも、前記刃の遠位端から前記剪刀のハンドルの長手方向軸に垂直に延在する線まで延在する、項目１〜１１のいずれか一項に記載の剪刀。
（項目１３）
前記誘導部材は、前記刃の長手方向軸に対して、少なくとも３０°の角度で延在する、項目１〜１２のいずれか一項に記載の剪刀。
（項目１４）
前記誘導部材は、前記刃の長手方向軸に対して、４０〜７０°の角度で延在する、項目１３に記載の剪刀。
（項目１５）
前記誘導部材は、前記刃の長手方向軸に対して、６０°の角度で延在する、項目１４に記載の剪刀。
（項目１６）
前記誘導部材は、前記剪刀部材と実質的に同一の平面に延在する、項目１〜１５のいずれか一項に記載の剪刀。
（項目１７）
前記誘導部材は、前記剪刀部材の平面に対して、鋭角で延在する、項目１〜１５のいずれか一項に記載の剪刀。
（項目１８）
前記誘導部材は、前記剪刀部材の平面に対して、少なくとも２０°の角度で延在する、項目１７に記載の剪刀。
（項目１９）
前記誘導部材は、前記剪刀部材の平面に対して、３０〜７０°の角度で延在する、項目１８に記載の剪刀。
（項目２０）
前記誘導部材は、前記剪刀部材の平面に対して、４５°の角度で延在する、項目１９に記載の剪刀。
（項目２１）
前記剪刀部材は、前記枢動接続部において、ネジによって接続され、前記誘導部材は、前記ネジの頭部と反対側において、剪刀部材から延在する、項目１〜２０のいずれか一項に記載の剪刀。
（項目２２）
会陰切開を行う際における、項目１〜２１のいずれか一項に記載の会陰剪刀の使用。
（項目２３）
項目１〜２１のいずれか一項に記載の剪刀の前記誘導部材を対象の会陰の正中線と整合させることと、前記対象の膣口から側方切開を行うこととを含む、会陰切開術を行う方法。
（項目２４）
前記切開は、前記剪刀の単一の切り込みにおいて行われる、項目２３に記載の方法。